(57)【特許請求の範囲】
【請求項１】
画像を表示する画像表示手段と、該画像表示手段に画像を表示せしめる画像表示駆動手段と、前記画像表示手段に表示された画像を使用者の瞳に拡大して導く光学系手段と、前記画像表示手段と前記画像表示駆動手段と前記光学系手段とを前記使用者の所定箇所に装着するための装着手段とを有する表示装置において、
タイマによる時間を任意に設定可能な時間設定手段と、
該時間設定手段によって設定された設定時間が経過した後、当該設定時間が経過したことを表示するとともに、所定時間後に前記画像表示駆動手段を制御して前記表示手段への画像表示を停止する制御手段と、
前記時間設定手段による前記設定時間が経過する直前若しくは経過後の所定時間内に前記設定時間を延長可能とするとともに前記設定時間が延長されていることを示す表示を行う設定時間延長手段とを設けたことを特徴とする表示装置。
【発明の詳細な説明】
【０００１】
【発明の属する技術分野】
本発明は、使用者の所定箇所、例えば頭部や顔面に装着して表示画像を見るようにした所謂頭部装着型表示装置（ヘッドマウント型ディスプレイ）に関する。
【０００２】
【従来の技術】
従来、この種の表示装置において、使用者が表示装置をどれくらいの時間使用し続けているかを使用者自身が分からなかった。
【０００３】
また、この種の表示装置を用いて何等かの画像を観賞する用途が近年増加している。その用途の内最も多いのはゲームであろう。この種の表示装置では、通常のテレビ画面を用いる場合と異なり、閉鎖された空間を容易に作り出すことが可能であり、ゲームの世界により深くのめり込むことが可能となる。更に、使用者の頭部の動きを検出する頭部検出装置を備え、該頭部検出装置の検出値によって表示画像を変化させることにより仮想現実（ＶＲ：Ｖｉｒｔｕａｌ  Ｒｅａｌｉｔｙ）を実現することができる。また、コンピュータの表示にこの種の表示装置を用いる場合もある。このような表示装置を用いることにより、大きなＣＲＴディスプレイを必要とせず、他人に覗かれる心配もなく、いたるところでコンピュータの操作が可能になる。
【０００４】
また、小型液晶表示パネルを用いたこの種の表示装置は、図１９のごとく構成されている。同図において、バックライト１９０２から照射された光は液晶表示パネル等の表示器１９０１を通り、光学素子１９００の入射面１９００ａに入射する。該入射面１９００ａを通った光は、光学素子１９００の反射面１９００ｂに臨界角以上で入射して全反射され、光学素子１９００の全反射面１９００ｃにより再度全反射され、反射面１９００ｂに臨界角以下で入射する。臨界角以下で入射した光は使用者の瞳１９０８に導かれ、画像が表示器１９０１に表示され、該表示されたた画像を使用者が見ることが可能となる。
【０００５】
【発明が解決しようとする課題】
しかしながら、上述した従来装置にあっては、使用者が使用時間の経過に気付かずに長時間に亘って表示装置を使用する可能性があるという問題点があった。また、ゲームの表示手段及びコンピュータの表示手段に用いる従来の表示装置にあっては、使用者がその表示画面により没頭してしまい、装着時間がついつい長引いてしまい、こまめに外したり装着したりするのは面倒であるという問題点があった。
【０００６】
更に、図１９に示すような表示装置にあっては、使用者が使用時間の経過に気付かず、長時間に亘って表示装置を使用する可能性があった。これを防止するために表示器１９０１に時計情報を表示する手段もあるが、表示装置が仮想現実感を得ることを目的とした場合、それが使用者の意思に沿わない場合も考えられる。
【０００８】
本発明は上述した従来の技術の有するこのような問題点に鑑みてなされたものであり、その第１の目的とするところは、使用者が時間の経過を認識しながら必要な時間使用し続けることができる表示装置を提供しようとするものである。
【０００９】
また、本発明の第２の目的とするところは、使用者が使用する度に時間設定手段をセットする繁雑さをなくすと共に、必要なときは任意の時間に時間設定手段をセットすることが可能な表示装置を提供しようとするものである。
【００１０】
また、本発明の第３の目的とするところは、長時間の使用をさせないようにした表示装置を提供しようとするものである。
【００１１】
更に、本発明の第４の目的とするところは、使用者に経過時間を警告することが可能な表示装置を提供しようとするものである。
【００１３】
上記の目的を達成するために請求項１記載の表示装置は、画像を表示する画像表示手段と、該画像表示手段に画像を表示せしめる画像表示駆動手段と、前記画像表示手段に表示された画像を使用者の瞳に拡大して導く光学系手段と、前記画像表示手段と前記画像表示駆動手段と前記光学系手段とを前記使用者の所定箇所に装着するための装着手段とを有する表示装置において、タイマによる時間を任意に設定可能な時間設定手段と、該時間設定手段によって設定された設定時間が経過した後、当該設定時間が経過したことを表示するとともに、所定時間後に前記画像表示駆動手段を制御して前記表示手段への画像表示を停止する制御手段と、前記時間設定手段による前記設定時間が経過する直前若しくは経過後の所定時間内に前記設定時間を延長可能とするとともに前記設定時間が延長されていることを示す表示を行う設定時間延長手段とを設けたことを特徴とするものである。
【００２７】
【発明の実施の形態】
以下、本発明の各実施の形態を図１〜図１８に基づき説明する。
【００２８】
（第１の実施の形態）
まず、本発明の第１の実施の形態を図１〜図４に基づき説明する。図１は、本発明の第１の実施の形態に係る表示装置（頭部装着型表示装置）の構成を示すブロック図であり、同図において、１は光学素子、２は液晶ディスプレイ（液晶表示パネル）等の表示器、３はバックライト、４は表示駆動回路、５はバックライト駆動回路、６はキャラクタジェネレータ、７はマイクロコンピュータ等の制御手段、８はタイマー回路、９は使用者の瞳である。光学素子１、表示器２、バックライト３、表示駆動回路４、バックライト駆動回路５及び瞳９は、左右一対である。
【００２９】
光学素子１、表示器２、バックライト３、表示駆動回路４、バックライト駆動回路５、キャラクタジェネレータ６、制御回路７及びタイマー回路８は、例えば図２に示すように装着部材１０により使用者の所定箇所、例えば頭部に装着される。図２においては、各回路等は基板１１に装着されているものとして示してある。
【００３０】
図１において、表示器２にキャラクタジェネレータ６及び表示駆動回路４により画像が表示される。また、バックライト駆動回路５により点灯されるバックライト３から発せられる光が、表示器２を通り、光学素子１の入射面１ａに入射する。該入射面１ａを通った光は光学素子１の反射面１ｂに臨界角以上で入射して全反射され、光学素子１の全反射面１ｃにて再度全反射され、反射面１ｂに臨界角以下で入射する。該臨界角以下で入射した光は使用者の瞳９に導かれ、結局表示器２に表示された画像を使用者が見ることが可能となる。
【００３１】
次に、上記構成の本実施の形態に係る表示装置の動作を図３のフローチャートに基づき説明する。
【００３２】
まず、ステップＳ３０１で電源がオン（ＯＮ）され、ステップＳ３０２で使用者はタイマー回路８を操作して任意の時間（タイマー時間）をセットする。次にステップＳ３０３でタイマー回路８のタイマー動作が始まり、次のステップＳ３０４で前記ステップＳ３０２においてセットされたタイマー時間が終了したか否かを制御回路７が判断する。そして、前記タイマー時間が終了しない場合は前記ステップＳ３０３へ戻り、また、前記タイマー時間が終了した場合はステップＳ３０５で前記タイマー時間の終了である旨を表示器２に表示する。この表示は、例えば図４に示すように「２０分経過しました」というように文字で表示しても良いし、その他使用者が認識できるような任意の表示を行うように構成すれば良い。
【００３３】
前記表示処理終了後はステップＳ３０６で電源をオフ（ＯＦＦ）した後、本処理動作を終了する。
【００３４】
なお、本実施の形態において、セットされたタイマー時間の終了である旨を表示器２に表示するようにしたが、これに限られるものではなく、セットされたタイマー時間の終了直前である旨を表示器２に表示するようにしてもよい。また、キャラクタジェネレータ６、制御回路７及びタイマー回路８は、頭部装着部以外の所に配置するようにしても良い。更に、前記タイマー時間経過の表示を所定時間表示しても、表示装置が使用され続けた場合は、電源を自動的にオフするように構成しても良い。また、前記タイマー時間を延長するようにすることによりタイマー回路８の操作でセットされたタイマー時間が何度終了したかを表示したり或いは表示装置を使用した時間の合計を表示するように構成しても良い。
【００３５】
（第２の実施の形態）
次に、本発明の第２の実施の形態を図５〜図７に基づき説明する。図５は、本発明の第２の実施の形態に係る表示装置の構成を示すブロック図であり、同図において、上述した第１の実施の形態における図１と同一部分には同一符号が付してある。図５において図１と異なる点は、図１の構成にＬＥＤ駆動回路１２、ＬＥＤ１３、タイマー時間延長スイッチ１４、電源制御回路１５及び電源スイッチ１６を付加したことである。そして、使用者がタイマー回路８の操作によりセットしたタイマー時間が経過したことを、図７に示すようにＬＥＤ駆動回路１２によりＬＥＤ１３を点灯表示することにより、使用者に通知するように構成されている。
【００３６】
また、図５において使用者がタイマー回路８にセットしたタイマー時間が終了し、所定の表示を行った後、電源制御回路１５が自動的に電源スイッチ１６をオフするように構成されている。
【００３７】
更に、使用者がタイマー回路８にセットしたタイマー時間が経過した旨の表示がなされてから、例えば所定時間内にタイマー時間延長スイッチ１４を操作すれば、前記タイマー時間が延長され、自動的に電源がオフされる動作も延長されるように構成されている。
【００３８】
次に、上記構成の本実施の形態に係る表示装置の動作を、図６のフローチャートに基づき説明する。
【００３９】
まず、ステップＳ６０１で電源がオン（ＯＮ）され、ステップＳ６０２で使用者はタイマー回路８を操作して任意のタイマー時間をセットする。次にステップＳ６０３でタイマー動作が始まり、次のステップＳ６０４で前記ステップＳ６０２においてセットされたタイマー時間が終了したか否かを制御手段７が判断する。そして、前記タイマー時間が終了していない場合は前記ステップＳ６０３へ戻り、また、前記時間が終了している場合はステップＳ６０５で前記タイマー時間の終了である旨を表示器２に表示する。この表示は、例えば図７に示すようにＬＥＤ駆動回路１２によりＬＥＤ１３を点灯表示することにより行われる。
【００４０】
次にステップＳ６０６でタイマー時間延長スイッチ１４が押されたか否かを制御手段７が判断する。そして、タイマー時間延長スイッチ１４が押されている場合は前記ステップＳ６０２へ戻って、使用者はタイマー回路８を操作して任意のタイマー時間をセットする。また、前記ステップＳ６０６においてタイマー時間延長スイッチ１４が押されていない場合はステップＳ６０７でタイマー時間延長スイッチ１４のキー入力待ち時間が終了したか否かを制御手段７が判断する。そして、キー入力待ち時間が終了しない場合は前記ステップＳ６０６へ戻り、また、キー入力待ち時間が終了した場合はステップＳ６０８で電源をオフにした後、本処理動作を終了する。
【００４１】
なお、本実施の形態において、タイマー回路８の操作によりセットされたタイマー時間が終了した場合、１回目の終了時はＬＥＤ１３の点滅を１回、前記セットされたタイマー時間の延長によるそれ以降のタイマー時間終了時、例えば２回目のタイマー時間終了時はＬＥＤ１３の点滅を２回等、ＬＥＤ１３の点滅回数を変えて表示するようにしても良い。また、表示装置を使用した時間の合計を表示するように構成しても良い。
【００４２】
（第３の実施の形態）
次に、本発明の第３の実施の形態を図８及び図９に基づき説明する。図８は、本発明の第３の実施の形態に係る表示装置の構成を示すブロック図であり、同図において、上述した第２の実施の形態における図５と同一部分には同一符号が付してある。図８において図５と異なる点は、図５の構成のタイマー時間延長スイッチ１４に代えて任意タイマー操作スイッチ１７を設けたことである。
【００４３】
そして、使用者が任意タイマー操作スイッチ１７を操作しながら電源スイッチ１６をオンするか或いは電源スイッチ１６をオンした直後に任意タイマー操作スイッチ１７を操作した場合、使用者がセットするタイマー時間を任意に選択することが可能となり、前記操作を行わない場合は予め設定された時間にタイマー回路８により予め設定されたタイマー時間がセットされるものである。
【００４４】
次に本実施の形態に係る表示装置の動作を、図９のフローチャートに基づき説明する。まず、ステップＳ９０１で使用者が電源をオンし、その直後にステップＳ９０２で任意タイマー操作スイッチ１７が操作されているか否かを制御手段７が判断する。そして、任意タイマー操作スイッチ１７が操作されている場合はステップＳ９０３で使用者がタイマー時間を任意に設定した後、次のステップＳ９０４に進む。また、任意タイマー操作スイッチ１７が操作されていない場合はステップＳ９０８でタイマー時間を初期固定値に設定した後、ステップＳ９０４に進む。
【００４５】
このステップＳ９０４ではタイマー回路８が所定のカウント動作を開始する。次にステップＳ９０５でタイマー時間が終了したか否かを制御手段７が判断する。そして、セットしたタイマー時間が終了した場合はステップＳ９０６でタイマー時間終了の所定時間前か否かを制御手段７が判断する。そして、タイマー時間終了の所定時間前でない場合は前記ステップＳ９０４へ戻り、また、タイマー時間終了の所定時間前である場合はステップＳ９０７で電源をオフする等の終了予告表示を行った後、前記ステップＳ９０４へ戻る。
【００４６】
一方、前記ステップＳ９０５においてタイマー時間が終了した場合は、ステップＳ９０９で電源をオフにした後、本処理動作を終了する。
【００４７】
なお、本実施の形態においては、任意タイマー操作スイッチ１７が操作されていない場合にセットされる予め設定された時間は、システム的に一意に決められた値でも良いし、使用者が任意に選択した時間をメモリに記憶させて、さらに書き換え可能な値であっても良い。また、上述した第２の実施の形態のようにタイマー延長スイッチを設けても良い。
【００４８】
（第４の実施の形態）
次に、本発明の第４の実施の形態を図１０〜図１２に基づき説明する。図１０は、本発明の第４の実施の形態に係る表示装置の構成を示すブロック図であり、同図において１００は表示装置の画像表示手段、１０１は電源回路、１０２は時間計測手段（タイマー回路）、１０３は制御手段である。
【００４９】
画像表示手段１００は本実施の形態ではクローズタイプで、バックライト駆動回路１０６、バックライト１０７、表示器１０８、ハーフミラー１０９、凹面鏡１１０、接眼レンズ１１１を有している。表示器１０８に表示された画像は、ハーフミラー１０９、凹面鏡１１０及び接眼レンズ１１１により使用者の瞳１１２に入力する。バックライト駆動回路１０６はバックライト１０７を点灯するもので、該バックライト駆動回路１０６には制御手段１０３が接続されている。また、ハーフミラー１０９と凹面鏡１１０は、表示器１０８と接眼レンズ１１１との間に配置され、これにより光路長をかせいで表示装置全体のコンパクト化を図っている。
【００５０】
電源回路１０１は、電源スイッチ１０４を介して電源１０５に接続されている。この電源回路１０１は、電源スイッチ１０４がオンになると表示装置全体に必要な電源電力を供給すると共に、時間計測手段１０２にトリガー信号を与える。時間計測手段１０２は、電源回路１０１からのトリガー信号に基づき時間計測動作を開始し、時間情報を逐次出力する。制御手段１０３は、時間計測手段１０２からの時間情報を受けて制御信号を出力し、画像表示手段１００のバックライト１０７の光量をバックライト駆動回路１０６を介して調節する。そして、前記時間情報が所定値になったところで前記制御信号を変化させ、バックライト１０７の発光を停止または減光させる。
【００５１】
図１１は、時間計測手段と制御手段のアナログ回路構成を示すブロック図であり、このアナログ回路は、図１０の構成に対応し、オペアンプＯＰＡ１を中心にした時間計測手段（図１０の１０２）と、コンパレータＣＰ１を中心にした制御手段（図１０の１０３）と、オペアンプＯＰＡ２を中心にしたバックライト駆動回路と、ランプＬＰ１によるバックライト（図１０の１０７）とによって構成されている。
【００５２】
図１１において、まず、電源投入によって主電圧Ｖ１が立ち上がる。するとコンデンサＣ７１と抵抗Ｒ７１とによって構成された微分回路により、電源投入時の一瞬、正方向のパルスが発生し、これを受けてデジタルバッファ回路ＢＵ１はリセットパルス信号ＲＥＳＥＴを出力する。このリセットパルス信号ＲＥＳＥＴによってスイッチＳＷ１とスイッチＳＷ２は図の矢印方向に一瞬切り換わり、コンデンサＣ７２にはＶ１−Ｖ０の電圧が充電される。スイッチＳＷ１とスイッチＳＷ２は直ちに初期状態に復帰し、コンデンサＣ７２にはオペアンプＯＰＡ１のフィードバックループに接続される。抵抗Ｒ７２には（Ｖ１−Ｖ０）／Ｒ７２の一定電流が流れ、コンデンサＣ７２を低電流充電する。これによりオペアンプＯＰＡ１の出力は、Ｖ１から０（ゼロ）ボルトに向かって緩やかに下降する。この電圧変化はコンパレータＣＰ１の負入力端子に加えられ、コンパレータＣＰ１の正入力端子に加えられたでんあつＶ０と比較される。
【００５３】
前記下降する電圧がどのくらいの時間経過（ｔ０）後に比較電圧を下回るかは、下記（１）式により求められる。
【００５４】
ｔ０＝Ｃ７２×Ｒ７２…（１）
コンパレータＣＰ１の出力が反転すると、スイッチＳＷ３は図において上側に切り換わり、選択はそれまで基準電圧Ｖ０からオペアンプＯＰＡ１の出力に切り換わる。その後、所定の時間（ｔ１）で０（ゼロ）ボルトまで下降する。この所定の時間（ｔ１）は、下記（２）式により求められる。
【００５５】
ｔ１＝Ｃ７２×Ｒ７２×Ｖ０／（Ｖ１−Ｖ０）…（２）
この出力電圧はオペアンプＯＰＡ２で抵抗Ｒ７３と抵抗Ｒ７４とで決定される増幅率で電圧増幅され、ランブＬＰ１に電力を供給する。
【００５６】
この供給電圧、または電流は図１２（ｂ）に示すように変化する。また、時間計測手段と制御手段は、市販のモノマルチバイブレータＩＣによって、より簡単に実現することができる。制御信号は図１２（ａ）に示すように変化する。
【００５７】
なお、時間計測手段と制御手段は、上述したアナログ回路により構成することに限られるものではなく、デジタル回路によっても実現可能である。この場合は、発振回路（クロック）と初期化（リセット）入力を有する計数回路（カウンタ）とで構成する。
【００５８】
そして、電源投入時、または表示開始時に初期化信号が発生し、計数回路の値が所定値に設定される。時間の経過と共に、発振回路の波数を計測し計数回路の計数が進行する。そして、所定時間を経過すると計数は所定計数となる。これを制御手段において判断し、バックライトの発光駆動を終了させる制御信号を出力する。計数はゼロから始まって有限の所定値まで計数してもかまわないし、有限の所定値から始まって減算によってゼロになったところで終了させてもかまわない。また、他の目的のための制御手段（マイクロコンピュータ）がそばにあった場合、これの主目的の合間に本件の処理を実行させることも可能である。本件の処理は、長時間の大まかな計測のみであるため、ほとんど負荷にならないからである。
【００５９】
図１２は、時間経過に対する光量の変化の様子を示す図であり、同図の（ａ）は、所定時間経過後、直ちに消灯してしまう場合であり、簡単な構成で実現可能である。また、同図の（ｂ）は、所定時間経過後、徐々に減光していく場合であり、突然画像が消えてしまうということなく、時間の経過を使用者に認識させることができる。
【００６０】
（第５の実施の形態）
次に、本発明の第５の実施の形態を図１３に基づき説明する。図１３は、本発明の第５の実施の形態に係る表示装置の構成を示すブロック図であり、同図において上述した第４の実施の形態における図１０と同一部分には同一符号が付してある。本実施の形態に係る表示装置は、オープンタイプである。図１３において図１０と異なる点は、表示器１０８として小型ＴＦＴタイプの液晶表示パネルを用いたことと、図１０の構成からバックライト駆動回路１０６を削除すると共に、図１０の構成に調光用液晶表示パネル等からなる調光用表示器１１３、３つの偏光板１１４，１１５，１１６、凹レンズ１１７を設けたことである。
【００６１】
調光用表示器１１３は電界をかけない状態では９０度回転となる特性を持ち、通常は外界光線を透過し、画像表示を透過しない状態となっている。一方、調光用表示器１１３に電界をかけると、この偏光は０度に変更され、外界光線は非透過状態に、画像表示の光線は透過状態になる。第１の偏光板１１４は縦偏光とされ、接眼レンズ１１１と調光用表示器１１３との間に配置されている。また、第２の偏光板１１５は横偏光とされ、ハーフミラー１０９と凹レンズ１１７との間に配置されている、更に、射出側である第３の偏光板１１６は縦偏光とされ、表示器１０８とハーフミラー１０９との間に配置されている。
【００６２】
図１３において、バックライト１０７は表示器１０８を照射し、表示器１０８を通過した光はハーフミラー１０９で９０度折り曲げられて、調光用表示器１１３と第１の偏光板１１４と接眼レンズ１１１を通して使用者の瞳１１２に入り、鑑賞される。ハーフミラー１０９は、一方では前方からの外界光線を透過し、外界も同時に見ることができる。外界光線の透過光軸上に配設された第２の偏光板１１５と凹レンズ１１７とにより、接眼レンズ１１１の屈折が打ち消され、素通しガラスと同等に見える。
【００６３】
次に図１３における調光動作について説明する。電源投入時、または画像表示開始時では、調光用表示器１１３に電界がかかった状態で始まる。即ち、表示画像が見える状態である。そして、所定時間が経過し、制御手段１０３からの制御信号によって調光用表示器１１３の電界が即座に、または徐々に解除され、画像表示の光線は非透過状態に、外界光線は透過状態に変更されていく。制御手段１０３は時間計測手段１０２からの時間情報を受けて制御信号を出力し、調光用表示器１０８を駆動して透過率を調節する。時間情報が所定値になったところで前記制御信号を変化させ、表示光量を減少させ、外光を増加させる。
【００６４】
なお、本実施の形態におけるその他の構成及び動作は、上述した第４の実施の形態と同一であるから、その説明は省略する。また、本実施の形態において、第２の偏光板１１５と凹レンズ１１７を削除し、ハーフミラー１０９に代えて全反射ミラーを用いることにより、画像表示の光線のみを制御する目的を達成することが可能である。
【００６５】
（第６の実施の形態）
次に、本発明の第６の実施の形態を図１４に基づき説明する。図１４は、本発明の第６の実施の形態に係る表示装置の構成を示すブロック図であり、同図において上述した第５の実施の形態における図１３と同一部分には同一符号が付してある。本実施の形態に係る表示装置は、上述した第５の実施の形態と同様にオープンタイプである。図１４において図１３と異なる点は、図１３の構成から調光用表示器１１３、第１〜第３の偏光板１１４〜１１６を削除すると共に、ハーフミラー１０９と凹レンズ１１７との間に調光（ＥＣ）フィルタ１１８を設けたことである。
【００６６】
外界光軸上に配置された凹レンズ１１７と調光フィルタ１１８とにより、接眼レンズ１１１の屈折が打ち消され、素通しガラスと同様に見えるようになっている。調光フィルタ１１８は、正の電圧を印加した状態では透過状態となり、外界光線が透過状態となり、また負の電圧を印加すると、その透過率が低下して外界光線が非透過状態となる。表示器１０８からの画像表示光線は、光量的には変化がないが、外界光線の光量が増加することによって、使用者の眼球の瞳孔が閉じて、相対的に視覚される画像光線の光量は低下することになる。
【００６７】
次に図１４における調光動作について説明する。電源投入時、または画像表示開始時では、調光フィルタ１１８に正の電圧がかかった状態で始まる。即ち、表示画像が見える状態である。この電圧のかかり方は上述した第５の実施の形態と同様である。
【００６８】
そして、所定時間が経過して制御手段１０３からの制御信号によって調光フィルタ１１８の電圧が即座に、または徐々に低下し、画像表示光線は非透過状態に変更されていく。制御手段１０３は、時間計測手段１０２からの時間情報を受けて制御信号を出力し、調光フィルタ１１８を駆動して透過率を調節する。時間情報が所定値になったところで前記制御信号を変化させ、外界光量を増加させ、使用者の瞳孔を閉じさせることによって、相対的に画像表示光量を減少させる。
【００６９】
なお、本実施の形態における調光フィルタ１１８としては、ＥＣフィルタのみに限られるものではなく、上述した第５の実施の形態において用いた調光用表示器１１３と２枚の偏光板１１４，１１５との組み合わせにより構成しても良い。
（第７の実施の形態）
次に、本発明の第７の実施の形態を図１５に基づき説明する。図１５は、本発明の第７の実施の形態に係る表示装置の構成を示すブロック図であり、同図において上述した従来例の図１９と同一部分には同一符号が付してある。図１５において図１９と異なる点は、図１９の構成に２Ｄ／３Ｄ切換回路１９０９、コントローラ１９１０、タイマー回路１９１１を付加したことである。
【００７０】
なお、本実施の形態に係る表示装置は、画像信号としてフィールドごとに左右の画像が交互に入力される場合、表示駆動回路１９０７R,１９０７Lの操作により、表示器１９０１R,１９０１Lの表示を各々右目の瞳１９０８Rの信号のみの表示、左目の瞳１９０８Lの信号のみの表示とすることにより、視差分の異なる画像を各々に表示することにより、立体画像を得ることができる。
【００７１】
ここで使用者はタイマー回路１９１１を操作し、任意の時間をセットする。そして、コントローラ１９１０により、前記セットされた時間の経過が検知された場合、２Ｄ／３Ｄ切換回路１９０９により、表示駆動回路１９０７R,１９０７Lを操作し、２Ｄ表示へと切り換える。
【００７２】
なお、２Ｄと３Ｄの表示切り換えは、画像信号出力側（例えば、パーソナルコンピュータ、プレイヤー等）で行う手法も考えられる。単純には、フィールド順序の切り換え方式においては、左右表示画面に同一の信号を出力するようにすれば良い。
【００７３】
（第８の実施の形態）
次に、本発明の第８の実施の形態を図１６に基づき説明する。図１６は、本発明の第８の実施の形態に係る表示装置の構成を示すブロック図であり、同図において、上述した第７の実施の形態における図１５と同一部分には同一符号が付してある。図１６において図１５と異なる点は、図１５の構成から信号処理回路１９０６及び２Ｄ／３Ｄ切換回路１９０９を削除すると共に、図１５の構成にＡ（アナログ）／Ｄ（デジタル）変換回路１９１２、フィールドメモリ１９１３、メモリ制御手段１９１４、電子ズーム制御手段１９１５、補間処理回路１９１６、Ｄ（デジタル）／Ａ（アナログ）変換回路１９１７及びフィールド順次出力回路１９１８を付加したことである。
【００７４】
そして、画像信号をＡ／Ｄ変換回路１９１２によりＡ／Ｄ変換し、フィールドメモリ１９１３、メモリ制御手段１９１４及び電子ズーム制御手段１９１５を、タイマー回路１９１１の経過時間によりコントローラ１９１０で表示画面サイズに変更することにより、時間経過を使用者に伝えることができるように構成されている。例えば、図１７に示すように、画像の縮小、拡大を繰り返し行うことにより、使用者に時間の経過を警告するものである。
【００７５】
なお、本実施の形態におけるその他の動作は、上述した第７の実施の形態と同一であるから、その説明は省略する。また、本実施の形態において、２Ｄと３Ｄの表示切り換えは、画像信号出力側（例えば、パーソナルコンピュータ、プレイヤー等）で行う手法も考えられる。
【００７６】
（第９の実施の形態）
次に、本発明の第９の実施の形態を図１８に基づき説明する。図１８は、本発明の第９の実施の形態に係る表示装置の構成を示すブロック図であり、同図において、上述した第７の実施の形態における図１５と同一部分には同一符号が付してある。図１８において図１５と異なる点は、図１５の構成から２Ｄ／３Ｄ切換回路１９０９を削除し、その代わりにカラー／白黒切換回路１９１９を設けた事である。
【００７７】
そして、タイマー回路１９１１の経過時間が設定時間を経過したならば、カラー／白黒切換回路１９１９により、カラー画面から白黒画面に切り換えるようにしたものである。
【００７８】
なお、本実施の形態におけるその他の動作は、上述した第７の実施の形態と同一であるから、その説明は省略する。また、本実施の形態において、タイマー回路１９１１の経過時間が設定時間を経過したならば、現在時間を表示、経過時間を表示、或いは音を発生する等により、使用者に知らせることも考えられる。
【００８０】
【発明の効果】
以上詳述したように本発明の請求項１記載の表示装置によれば、時間設定手段により設定されたタイマー時間の延長を可能として、使用者がセットしたタイマー時間が終了、或いは終了直前に使用者がタイマー時間の延長操作を行うことにより、使用者が時間の経過を認識しながら必要な時間使用し続けることができるという効果を奏する。
【図面の簡単な説明】
【図１】本発明の第１の実施の形態に係る表示装置の構成を示すブロック図である。
【図２】同装置の構成を示す概略側面図である。
【図３】同装置の制御動作のプログラムを示すフローチャートである。
【図４】同装置の表示例を示す図である。
【図５】本発明の第２の実施の形態に係る表示装置の構成を示すブロック図である。
【図６】同装置の制御動作のプログラムを示すフローチャートである。
【図７】同装置の表示例を示す図である。
【図８】本発明の第３の実施の形態に係る表示装置の構成を示すブロック図である。
【図９】同装置の制御動作のプログラムを示すフローチャートである。
【図１０】本発明の第４の実施の形態に係る表示装置の構成を示すブロック図である。
【図１１】同装置の制御手段と時間計測手段の構成を示すブロック図である。
【図１２】同装置の電源投入と経過時間との関係を示す図である。
【図１３】本発明の第５の実施の形態に係る表示装置の構成を示すブロック図である。
【図１４】本発明の第６の実施の形態に係る表示装置の構成を示すブロック図である。
【図１５】本発明の第７の実施の形態に係る表示装置の構成を示すブロック図である。
【図１６】本発明の第８の実施の形態に係る表示装置の構成を示すブロック図である。
【図１７】同装置の表示例を示す図である。
【図１８】本発明の第９の実施の形態に係る表示装置の構成を示すブロック図である。
【図１９】従来の表示装置の構成を示すブロック図である。
【符号の説明】
１    光学素子
２    表示器
３    バックライト
４    表示駆動回路
５    バックライト駆動回路
６    キャラクタジェネレータ
７    制御手段
８    タイマー回路
９    瞳
１０  装着手段
１１  基板
１２  ＬＥＤ駆動回路
１３  ＬＥＤ
１４  タイマー時間延長スイッチ
１５  電源制御回路
１６  電源スイッチ
１７  任意タイマー操作スイッチ
１００  表示手段
１０１  電源回路
１０２  時間計測手段（タイマー回路）
１０３  制御手段
１０４  電源スイッチ
１０５  電源
１０６  バックライト駆動回路
１０７  バックライト
１０８  表示器
１０９  ハーフミラー
１１０  凹面鏡
１１１  接眼レンズ
１１２  瞳
１１３  調光用表示器
１１４  偏光板
１１５  偏光板
１１６  偏光板
１１７  凹レンズ
１１８  調光フィルタ
１９００R  光学素子
１９００L  光学素子
１９０１R  表示器
１９０１L  表示器
１９０２R  バックライト
１９０２L  バックライト
１９０４R  バックライト駆動回路
１９０４L  バックライト駆動回路
１９０６  信号処理回路
１９０７R  表示駆動回路
１９０７L  表示駆動回路
１９０８R  瞳
１９０８L  瞳
１９０９Ｄ／３Ｄ  切換回路
１９１０  コントロール回路
１９１１  タイマー回路
１９１２  Ａ／Ｄ変換回路
１９１３  フィールドメモリ
１９１４  メモリ制御手段
１９１５  電子ズーム制御手段
１９１６  補間処理回路
１９１７  Ｄ／Ａ変換回路
１９１８  フィールド順次出力回路
１９１９  カラー／白黒切換回路
【図１】
0003679506.tif 000002
【図２】
0003679506.tif 000003
【図３】
0003679506.tif 000004
【図４】
0003679506.tif 000005
【図５】
0003679506.tif 000006
【図６】
0003679506.tif 000007
【図７】
0003679506.tif 000008
【図８】
0003679506.tif 000009
【図９】
0003679506.tif 000010
【図１０】
0003679506.tif 000011
【図１１】
0003679506.tif 000012
【図１２】
0003679506.tif 000013
【図１３】
0003679506.tif 000014
【図１４】
0003679506.tif 000015
【図１５】
0003679506.tif 000016
【図１６】
0003679506.tif 000017
【図１７】
0003679506.tif 000018
【図１８】
0003679506.tif 000019
【図１９】
0003679506.tif 000020